(57)【特許請求の範囲】
【請求項１】
（ａ）４〜２５重量％の直鎖状アルキルベンゼンスルホン酸塩と、（ｂ）２５〜５５重量％の非イオン性界面活性剤と、
（ｃ）式（Ｉ）、
【化１】
0006630353.tif 000009
（式中、Ｒ１がＣ１−Ｃ４アルキルまたはＣ１−Ｃ４ヒドロキシアルキルである）、または式（ＩＩ）、
【化２】
0006630353.tif 000010
（式中、Ｒ２がＣ１−Ｃ４アルキルであり、Ｒ３がＣ２−Ｃ８アルキルである）、またはそれらの組み合わせを有する、２〜１０重量％のアミンと、（ｄ）１０〜３５重量％のＣ３−Ｃ６ポリヒドロキシ化合物と、を含む、洗濯洗剤組成物。
【請求項２】
Ｒ１が、Ｃ１−Ｃ３アルキルまたはＣ１−Ｃ３ヒドロキシアルキルである、請求項１に記載の組成物。
【請求項３】
Ｒ１が、メチル、エチル、またはヒドロキシメチルである、請求項２に記載の組成物。
【請求項４】
Ｒ２がメチルまたはエチルであり、Ｒ３がＣ３−Ｃ５アルキルである、請求項１に記載の組成物。
【請求項５】
前記非イオン性界面活性剤が、直鎖状アルコールエトキシレートである、請求項１〜４のいずれか一項に記載の組成物。
【請求項６】
１０〜３０重量％のアルキルエーテル硫酸塩を含む、請求項５に記載の組成物。
【請求項７】
２．５〜７重量％の前記アミンを含む、請求項６に記載の組成物。
【請求項８】
６〜１８重量％の直鎖状アルキルベンゼンスルホン酸塩と、３０〜５０重量％の直鎖状アルコールエトキシレートと、１５〜３０重量％のＣ３−Ｃ６ポリヒドロキシ化合物と、１２〜２５重量％のアルキルエーテル硫酸塩と、２．５〜７重量％の前記アミンと、を含む、請求項７に記載の組成物。
【発明の詳細な説明】
【背景技術】
【０００１】
本発明は、概して、アミンを含有する濃縮洗濯洗剤組成物に関する。
【０００２】
典型的には、液体洗濯洗剤組成物は、水酸化ナトリウムを使用してアルカリ性ｐＨに調整される。ある場合には、他の塩基がこの目的のために使用されている。例えば、米国特許第５,０３５,８３８号は、洗剤組成物を中和するためのトリエタノールアミンの使用を開示している。しかしながら、この参考文献は、改善された性能を提供する本発明の組成物を開示していない。
【０００３】
発明の陳述
本発明は、
（ａ）４〜２５重量％の直鎖状アルキルベンゼンスルホン酸塩と、（ｂ）２５〜５５重量％の非イオン性界面活性剤と、（ｃ）式（Ｉ）、
【０００４】
【化１】
0006630353.tif 000002
【０００５】
（式中、Ｒ１がＣ１−Ｃ４アルキルまたはＣ１−Ｃ４ヒドロキシアルキルである）、または式（ＩＩ）、
【０００６】
【化２】
0006630353.tif 000003
【０００７】
（式中、Ｒ２がＣ１−Ｃ４アルキルであり、Ｒ３がＣ２−Ｃ８アルキルである）、またはそれらの組み合わせを有する、２〜１０重量％のアミンと、（ｄ）１０〜３５重量％のＣ３−Ｃ６ポリヒドロキシ化合物と、を含む、洗濯洗剤組成物を対象とする。
【発明を実施するための形態】
【０００８】
別途示されない限り、すべての割合は重量パーセント（重量％）であり、すべての温度は℃単位である。別途指定されない限り、すべての動作は室温（２０〜２５℃）で行われる。本明細書で使用される場合、「クエン酸塩」という用語は、アルカリ金属クエン酸塩を指す。好ましくは、クエン酸塩は、ナトリウム、カリウム、またはリチウム塩であり、好ましくはナトリウムまたはカリウムであり、好ましくはナトリウムである。本明細書で使用される場合、「脂肪酸」という用語は、１２〜２２個の炭素原子を有する脂肪族カルボン酸を指す。クエン酸塩の重量パーセントは、金属イオンを含む塩の実重量に基づく。「リンを含まない」という用語は、０．５重量％未満、好ましくは０．２重量％未満、好ましくは０．１重量％未満しか（リン元素として）リンを含有しない組成物、好ましくは検出可能なリンを含有しない組成物を指す。本洗剤組成物の重量パーセントは、商品の割合、すなわち、それらの商品に存在し得るいずれの水も含む商品の割合である。
【０００９】
好ましくは、Ｒ１は、Ｃ１−Ｃ３アルキルまたはＣ１−Ｃ３ヒドロキシアルキルであり、好ましくはＣ１−Ｃ２アルキルまたはＣ１−Ｃ２ヒドロキシアルキルであり、好ましくはメチル、エチル、またはヒドロキシメチルであり、好ましくはメチルまたはエチルである。
【００１０】
好ましくは、Ｒ２は、Ｃ１−Ｃ３アルキルであり、好ましくはメチルまたはエチルであり、好ましくはエチルである。好ましくは、Ｒ３は、Ｃ２−Ｃ６アルキルであり、好ましくはＣ３−Ｃ６アルキルであり、好ましくはＣ３−Ｃ５アルキルであり、好ましくはＣ４アルキルであり、好ましくはｎ−ブチルである。
【００１１】
好ましくは、本洗剤組成物中のアミンの総量は、２．５〜９重量％であり、好ましくは２．５〜７重量％であり、好ましくは３〜５重量％であり、好ましくは３〜４重量％である。
【００１２】
好ましくは、本洗剤組成物は、少なくとも３０重量％、好ましくは少なくとも３２重量％、好ましくは少なくとも３４重量％、好ましくは５０重量％以下、好ましくは４７重量％以下、好ましくは４４重量％以下、好ましくは４２重量％以下の非イオン性界面活性剤を含む。好ましくは、この非イオン性界面活性剤は、直鎖状アルコールエトキシレートである。好ましくは、直鎖状アルコールエトキシレートは、直鎖状Ｃ６−Ｃ１６アルキル基を有し、好ましくは直鎖状Ｃ８−Ｃ１４アルキル基を有する。好ましくは、これらのアルキル基は、好ましくは７０％の直鎖状Ｃ８−Ｃ１０アルキル及び７０％の直鎖状Ｃ１２−Ｃ１４アルキルを含む、種油由来の混合物である。好ましくは、直鎖状アルコールエトキシレートは、５〜９つ、好ましくは７つのエチレンオキシド重合単位を含有する。好ましくは、直鎖状アルコールエトキシレートは、アルキル基とエチレンオキシド単位との間に２〜４つの酸化プロピレン重合単位、好ましくは３つの酸化プロピレン単位を有する。
【００１３】
好ましくは、本洗剤組成物は、少なくとも６重量％、好ましくは少なくとも８重量％、好ましくは少なくとも１０重量％、好ましくは２０重量％以下、好ましくは１８重量％以下、好ましくは１６重量％以下、好ましくは１４重量％以下の直鎖状アルキルベンゼンスルホン酸塩を含む。好ましくは，アルキルベンゼンスルホン酸塩は、Ｃ１０−Ｃ１４アルキル基を有する。
【００１４】
好ましくは、本洗剤組成物は、１０〜３５重量％、好ましくは１５〜３０重量％、好ましくは２０〜３０重量％のＣ３−Ｃ５ポリヒドロキシ化合物を含む。ポリヒドロキシ化合物は、好ましくは２つまたは３つのヒドロキシル基を有する。好ましいポリヒドロキシ化合物としては、例えば、グリセロール及びプロピレングリコールが挙げられる。好ましくは、本洗剤組成物は、５〜２５重量％、好ましくは８〜２０重量％、好ましくは１０〜１８重量％のプロピレングリコールを含む。
【００１５】
好ましくは、本洗剤組成物は、１〜１５重量％、好ましくは少なくとも２重量％、好ましくは少なくとも３重量％、好ましくは１０重量％以下、好ましくは８重量％以下、好ましくは６重量％以下の脂肪酸またはそれらの金属塩を含む。
【００１６】
好ましくは、本洗剤組成物は、１０〜３０重量％、好ましくは１２〜２５重量％、好ましくは１４〜２３重量％のアルキルエーテル硫酸塩を含む。好ましくは、アルキルエーテル硫酸塩は、Ｃ８−Ｃ１８アルキル基、好ましくはＣ１０−Ｃ１６アルキル基を有する。好ましくは、このアルキル基は、直鎖状である。
【００１７】
好ましくは、本洗剤組成物は、２０重量％以下、好ましくは１６重量％以下、好ましくは１４重量％以下の水、好ましくは少なくとも２重量％、好ましくは少なくとも４重量％、好ましくは少なくとも６重量％、好ましくは少なくとも８重量％の水を含む。
【００１８】
本洗剤組成物の他の成分としては、例えば、界面活性剤、酸素漂白剤及び／または塩素漂白剤、漂白剤活性剤、酵素、泡止め剤、着色料、香料、抗菌剤、ならびに充填剤が挙げられ得る。錠剤または粉末状の充填剤は、不活性水溶性物質、典型的には、ナトリウムまたはカリウム塩、例えば、硫酸及び／または塩化ナトリウムまたはカリウムであり、典型的には、０重量％〜７５重量％の範囲の量で存在する。ゲル製剤状の充填剤は、上述のもの及び水も含み得る。香料、染料、泡止め剤、酵素、及び抗菌剤は、通常、本組成物の合計５重量％以下である。
【００１９】
好ましくは、本組成物は、７．５〜１０、好ましくは少なくとも８、好ましくは９．５以下、好ましくは９以下のｐＨを有する。
【００２０】
本組成物は、例えば、単回用量（ｍｏｎｏｄｏｓｅ）、液体、またはゲルとして、任意の典型的な形態で製剤化され得る。本組成物は、任意の典型的な洗濯機の典型的な動作条件下で使用され得る。洗浄プロセス中の典型的な水温度は、好ましくは２０℃〜８５℃、好ましくは２５℃〜７０℃である。洗濯機中の全液体のパーセントとしての本組成物の典型的な濃度は、好ましくは０．１〜１重量％、好ましくは０．２〜０．７重量％である。適切な製品形態及び追加時間を選択して、本組成物は、前洗浄、主洗浄、最後から２番目のすすぎ、最終すすぎ、またはこれらのサイクルの任意の組み合わせにおいて存在し得る。
【００２１】
好ましくは、本洗剤組成物は、酵素を実質的に含まず、すなわち、０．５重量％未満、好ましくは０．２重量％未満、好ましくは０．１重量％未満しか酵素を含有せず、好ましくは検出可能な酵素を含有しない。
【００２２】
好ましくは、本洗剤組成物は、２重量％未満、好ましくは１重量％未満、好ましくは０．５重量％未満、好ましくは０．２重量％未満しかアミンオキシド界面活性剤を含有しない。好ましくは、本洗剤組成物は、式（Ｉ）及び（ＩＩ）のアミン以外のアミンを実質的に含まず、すなわち、これらの他のアミンは、０．７重量％未満、好ましくは０．５重量％未満、好ましくは０．３重量％未満、好ましくは０．２重量％未満の総量でしか存在しない。
【実施例】
【００２３】
ＤＯＷ単回用量製剤の組成は、以下の通りである。
【００２４】
【表１】
0006630353.tif 000004
【００２５】
以下のアミンをこの単回用量製剤で試験した。
【００２６】
【表２】
0006630353.tif 000005
【００２７】
本試験で使用した染みモニタは、以下のものであった。
染みモニタ：Ｃｅｎｔｅｒ  ｆｏｒ  Ｔｅｓｔ  Ｍａｔｅｒｉａｌｓ製、参照ＭＯＮ  ＤＯＷ  ７
【００２８】
【表３】
0006630353.tif 000006
【００２９】
各機械に以下のものを装填した。
１台の染みモニタＭｏｎ  Ｄｏｗ  ７＋１台のＳＢＬ（土壌バラスト荷重８ｇ）
洗剤３３ｇ
バラスト荷重３．３ｋｇ
水道水：ＴＨ１８°Ｆ前後
洗浄温度４０℃
【００３０】
測定
土壌放出効果を各染みのデルタＥ（ΔＥ）により測定した。
【００３１】
デルタＥを、Ｌ＊ａ＊ｂ＊色空間内の未洗浄の染みと洗浄済みの染みとの間の色差として定義する。
【００３２】
洗浄前及び洗浄後の各染みを、以下の設定を有するＥｐｓｏｎスキャンソフトウェアを使用したＥｐｓｏｎ  Ｐｅｒｆｅｃｔｉｏｎ  ４４９０フォトスキャナで測定した。
■  プロフェッショナルモード
■  文書型：反射
■  文書源：文書テーブル
■  自動露光型：光
■  画像型：４８ビットカラー
■  スキャナ品質：最良
■  解像度：４００ｄｐｉ
■  色補正なし
■  ＵＶカット４００ｎｍ
【００３３】
その後、各染みの色を、Ｌ＊ａ＊ｂ＊色空間内の色情報を提供するマクロを使用したソフトウェアＩｍａｇｅ  Ｊバージョン１．４．３．６７（インターネットから入手可能な無料ソフトウェア）で分析した。
【００３４】
結果（４０℃での１サイクルに基づく）
【００３５】
デルタＥを、Ｌ＊ａ＊ｂ＊色空間内の未洗浄の染みと洗浄済みの染みとの間の色差として定義する。
【００３６】
【数１】
0006630353.tif 000007
【００３７】
各染みのデルタＥを以下の表に要約する。
【００３８】
【表４】
0006630353.tif 000008
【００３９】
合計デルタＥは、試験したすべてのアミノアルコールが従来の中和剤ＭＥＡよりも良好な一次清浄をもたらすことを示す。最良候補は、ＡＥＰＤ  Ｖｏｘ  １０００、ＣＯＲＲＧＵＡＲＤ  ＥＸＴ、及びＡＭＰＤ  Ｕｌｔｒａ  ＰＣ（ＭＥＡよりも高いデルタＥ）である。